(57)【特許請求の範囲】
【請求項１】
中空円柱状の外枠と、
外枠内部の軸方向一端部に配置された第１の高減衰性ゴムと、
外枠内部の軸方向他端部に配置された第２の高減衰性ゴムと、
上記第１、第２の高減衰性ゴムの間に配置された圧縮ばねと、
終端部が第１の高減衰性ゴム側の圧縮ばねの一端部に係止され、かつ、先端部が被制御機器に連結具を介して連結されるとともに、第２の高減衰性ゴムを貫通して軸方向に移動可能な可動軸と、
を備え、
二重床上の被制御機器の下側の固定具の孔部に一端が挿通係止されたワイヤの他端に可動軸の先端部が連結され、また、床スラブの固定具の孔部に一端が挿通係止されたワイヤの他端に第１の高減衰性ゴム側の外枠端部が連結されてなることを特徴とする機器移動制御装置。
【請求項２】
前記被制御器はキャスターが設けられた電子計算機であることを特徴とする請求項１記載の機器移動制御装置。
【発明の詳細な説明】
【０００１】
【産業上の利用分野】
本発明は、電子計算機室や通信機械室等に設置される各種機器の移動を制御するための機器移動制御装置に関する。
【０００２】
【従来の技術】
従来、電子計算機室や通信機械室等に設置される電子計算機、記憶装置、通信機器、無停電電源装置等の各種機器は、レイアウトの変更や移設等の便宜を考慮して、これらの機器の下面にキャスターを取り付け、そのまま据え置いているのが現状である。
【０００３】
【発明が解決しようとする課題】
しかるに、地震等によって機器に水平方向または垂直方向の力が加わると機器が移動してしまい、隣接する機器に衝突したり、移動した機器に付属しているケーブルがブレーキになって機器の転倒やケーブルの断裂を招くおそれがあった。これらの事故は、機器及び人体の損傷や重要なデータの損失、火災発生の原因ともなり、業務遂行面での影響や社会的な影響も極めて大きいものである。
【０００４】
本発明は上記課題を解決するためになされたもので、その目的とするところは、地震の揺れや予期しない人為的外力による機器の大幅な移動、転倒、ケーブルの断裂等を防止し、機器及び人体の損傷や火災の発生を防いで安全性を高めるとともに、機器に格納されたデータ等の保護を可能にした機器移動制御装置を提供することにある。
【０００５】
【課題を解決するための手段】
上記目的を達成するために、本発明は、
中空円柱状の外枠と、
外枠内部の軸方向一端部に配置された第１の高減衰性ゴムと、
外枠内部の軸方向他端部に配置された第２の高減衰性ゴムと、
上記第１、第２の高減衰性ゴムの間に配置された圧縮ばねと、
終端部が第１の高減衰性ゴム側の圧縮ばねの一端部に係止され、かつ、先端部が被制御機器に連結具を介して連結されるとともに、第２の高減衰性ゴムを貫通して軸方向に移動可能な可動軸とを備え、
二重床上の被制御機器の下側の固定具の孔部に一端が挿通係止されたワイヤの他端に可動軸の先端部が連結され、また、床スラブの固定具の孔部に一端が挿通係止されたワイヤの他端に第１の高減衰性ゴム側の外枠端部が連結されたものである。
【０００６】
例えば、前記被制御器はキャスターが設けられた電子計算機である。
【０００７】
【作用】
本発明においては、被制御機器に加わった水平方向または垂直方向の力が可動軸に伝達される。可動軸は、圧縮ばねの復元力に抗しつつ軸方向に移動可能であるので、被制御機器に加わった力は可動軸を介し圧縮ばねにより吸収されて減衰する。また、圧縮ばねの軸方向両端部には高減衰性ゴムが配置されているため、可動軸が外部へ引っ張られた時に圧縮ばねに蓄積される力や、可動軸が復帰した際に可動軸の終端部から伝達される力を、上記高減衰性ゴムが吸収して減衰させる。
このような作用により、被制御機器の移動量及び移動速度が抑制される。
【０００８】
【実施例】
以下、図に沿って本発明の実施例を説明する。
図１は実施例にかかる機器移動制御装置１００の内部構造を示す断面図である。図において、１０１は金属製または合成樹脂からなる中空円柱状の外枠であり、その軸方向一端部には、この装置１００を連結具としてのワイヤにより床スラブに連結するためのワイヤ取付部１０２が設けられている。なお、１０３はワイヤが挿通される取付孔である。
【０００９】
外枠１０１の内部のワイヤ取付部１０２側の一端部には、円板状の第１の高減衰性ゴム１０４が配置されている。この高減衰性ゴム１０４は、外力が加わると弾性変形して外力を吸収し、減衰させる機能を有している。
また、外枠１０１の内部の軸方向他端部には、後述する可動軸１１０が中心を貫通する肉厚円柱状の第２の高減衰性ゴム１０５と、ほぼ帽体状の可動軸ガイド１０６とが同軸上に配置されている。
【００１０】
高減衰性ゴム１０４，１０５の各内面には、ほぼ皿状のばね抑え板１０７，１０８が対向して設けられており、これらの間には圧縮ばね１０９が配置されている。
１１０は軸方向に移動可能な可動軸であり、その終端部は高減衰性ゴム１０４側のばね抑え板１０７の中心部に溶接等により固着されている。可動軸１１０は圧縮ばね１０９、ばね抑え板１０８、高減衰性ゴム１０５及び可動軸ガイド１０６の中心を貫通して外部に延びており、その先端部には被制御機器側のワイヤ取付部１１１が設けられている。１１２は連結具としてのワイヤが挿通される取付孔である。
【００１１】
図２は、図１の状態にある機器移動制御装置１００において、被制御機器に間接的に連結された可動軸１１０が、被制御機器に加わった力により図１のＸ方向へ移動した状態を示している。
すなわち、図１において可動軸１１０にＸ方向の力が加わると、可動軸１１０及びばね抑え板１０７は、図２に示すごとく圧縮ばね１０９の復元力に抗して図の右方向に移動する。
【００１２】
これにより、Ｘ方向の力が小さい場合には圧縮ばね１０９とばね抑え板１０８を介した高減衰性ゴム１０５がこの力を吸収して減衰させるので、被制御機器の移動距離や移動速度が緩和される。
また、Ｘ方向に過大な力が加わった場合、圧縮ばね１０９は軸方向の長さが最小になるまで圧縮され、このばね１０９に蓄積された力がばね抑え板１０８を介して高減衰性ゴム１０５に伝達される。従って、高減衰性ゴム１０５が弾性変形して力を吸収し減衰させるため、前記同様に被制御機器の移動距離や移動速度が緩和される。
【００１３】
更に、被制御機器を元の位置に移動させるような逆方向の力が加わった場合には、圧縮ばね１０９の復元力により可動軸１１０及びばね抑え板１０７が元の位置に復帰するが、その際の圧縮ばね１０９自体の有効外運動量を図１に示すごとく可動軸１１０の終端部側の高減衰性ゴム１０４が弾性変形して吸収するため、制御装置１００を損傷するおそれはない。
【００１４】
なお、図３は実施例の平面図、図４は実施例の正面図をそれぞれ示している。
【００１５】
次に、図５は実施例の使用状態を示すものであり、電算機室の二重床に設置された電子計算機の移動を抑制するために本発明を使用した例である。
図において、３０１は静止系としての電算機室の床スラブ、３０２は二重床であり、この二重床３０２の上には電子計算機２００が設置されている。電子計算機２００の底面には、運搬やレイアウトの変更を行なうためにキャスター２０２が取り付けられている。
【００１６】
床スラブ３０１には、固定具３０３がアンカーボルト３０４によって固定されており、また、電子計算機２００のキャスター２０２の近くには固定具２０１が取り付けられている。
この実施例の機器移動制御装置１００は、上記固定具２０１，３０３と前記取付部１１１，１０２とをそれぞれ連結具としてのワイヤ１１３により連結して設置される。
なお、機器移動制御装置１００及び各固定具２０１，３０３は、電子計算機２００の底面４箇所に配置されているが、制御装置１００の個数や設置位置は図示例に何ら限定されるものではない。
【００１７】
図６は、電子計算機２００が地震等により水平方向（図中、左方向）に移動した状態を示している。図の右側に表された制御装置１００では、電子計算機２００の移動により可動軸１１０が引っ張られ、制御装置１００の内部では図２に示したような状態となる。
【００１８】
この時、前述したように、圧縮ばね１０９及び高減衰性ゴム１０５によって電子計算機２００に加わった力が吸収、減衰され、電子計算機２００の移動距離、移動速度が抑制される。従って、電子計算機２００が周囲の機器や人体に衝突したり、電源ケーブルや通信ケーブル等の各種ケーブルがブレーキとなって転倒する恐れがない。同時に、各種ケーブルが断裂する心配がなく、データの保護も万全である。
【００１９】
【発明の効果】
以上のように本発明は、被制御機器の移動に伴って軸方向に移動する可動軸と、この可動軸に一端が係止された圧縮ばねと、圧縮ばねの両側に配置される高減衰性ゴム等を備え、被制御機器に加わった力を、可動軸を介して圧縮ばね及び高減衰性ゴムにより吸収、減衰させるものである。
このため、地震の揺れや予期しない人為的外力による機器の大幅な移動や転倒、ケーブルの断裂等を防止することができ、機器及び人体の損傷や火災の発生を防いで安全性を高めるとともに、機器に格納されたデータ等の万全の保護を図ることができる。
【００２０】
更に、構成が簡単で安価に提供可能であり、既設の各種機器や床構造にも即座に適用できる等の効果がある。
【図面の簡単な説明】
【図１】本発明の実施例の内部構造を示す断面図である。
【図２】本発明の実施例の内部構造を示す断面図である。
【図３】本発明の実施例の平面図である。
【図４】本発明の実施例の正面図である。
【図５】本発明の実施例の使用状態説明図である。
【図６】本発明の実施例の使用状態説明図である。
【符号の説明】
１００  機器移動制御装置
１０１  外枠
１０２，１１１  ワイヤ取付部
１０３，１１２  取付孔
１０４，１０５  高減衰性ゴム
１０６  可動軸ガイド
１０７，１０８  ばね抑え板
１０９  圧縮ばね
１１０  可動軸
２００  電子計算機
２０１，３０３  固定具
２０２  キャスター
３０１  床スラブ
３０２  二重床
３０４  アンカーボルト
【図１】
0003560386.tif 000002
【図２】
0003560386.tif 000003
【図３】
0003560386.tif 000004
【図４】
0003560386.tif 000005
【図５】
0003560386.tif 000006
【図６】
0003560386.tif 000007